(57)【要約】【課題】移動局装置の呼制御処理を行う制御装置の処理の輻輳を低減する。【解決手段】管理装置８は、現在時刻より後の対象時刻に移動局装置３が無線接続を要求するか否かを予測する予測部３３と、移動局装置３の呼制御を行う制御装置７へ対象時刻に無線接続を要求する予定の移動局装置３の数が閾値を超える場合に、第１移動局装置３ａへ対象時刻以前の第１時刻に無線接続を要求させ第２移動局装置３ｂへ対象時刻以前の第２時刻に無線接続を要求させる処理を、制御装置７に指示する指示部３４とを備える。【選択図】図３
2015035770.tif 000002
【特許請求の範囲】
【請求項１】
現在時刻より後の対象時刻に移動局装置が無線接続を要求するか否かを予測する予測部と、
移動局装置の呼制御を行う制御装置へ前記対象時刻に無線接続を要求する予定の移動局装置の数が閾値を超える場合に、第１移動局装置へ前記対象時刻以前の第１時刻に無線接続を要求させ前記第１移動局装置と異なる第２移動局装置へ前記第１時刻と異なる前記対象時刻以前の第２時刻に無線接続を要求させる処理を、前記制御装置に指示する指示部と、
を備えることを特徴とする管理装置。
【請求項２】
前記予測部は、前記制御装置としての第１制御装置に接続される基地局装置が形成するセル内に位置する対象移動局装置が前記第１制御装置へ無線接続を要求した履歴と、前記第１制御装置以外の移動局装置の呼制御を行う第２制御装置へ対象移動局装置が無線接続を要求した履歴とに基づいて、前記対象移動局装置が無線接続を要求するか否かを予測することを特徴とする請求項１に記載の管理装置。
【請求項３】
前記指示部は、前記制御装置へ無線接続を要求する予定の移動局装置のみに無線接続を要求させる処理を、前記制御装置に指示することを特徴とする請求項１又は２に記載の管理装置。
【請求項４】
移動局装置の呼制御を行う制御装置であって、
移動局装置からの無線接続の要求の履歴に基づいて、現在時刻より後の対象時刻に移動局装置が前記制御装置へ無線接続を要求するか否かを予測する情報処理装置へ、移動局装置から無線接続の要求があったことを通知する通知部と、
前記対象時刻に前記制御装置へ無線接続を要求する予定の移動局装置の数が閾値を超える場合に送信され、移動局装置に無線接続を要求させる処理を前記制御装置に行わせる指示信号を、前記情報処理装置から受信する受信部と、
前記指示信号の受信に応答して移動局装置に無線接続を要求させる指示部と、
を備えることを特徴とする制御装置。
【請求項５】
移動局装置の呼制御を行う制御装置であって、
現在時刻より後の対象時刻に移動局装置が無線接続を要求するか否かを予測する予測部と、
前記制御装置へ前記対象時刻に無線接続を要求する予定の移動局装置の数が閾値を超える場合に、第１移動局装置へ前記対象時刻以前の第１時刻に無線接続を要求させ前記第１移動局装置と異なる第２移動局装置へ前記第１時刻と異なる前記対象時刻以前の第２時刻に無線接続を要求させる指示部と、
を備えることを特徴とする制御装置。
【請求項６】
移動局装置から無線接続の要求を受信する第１受信部と、
前記制御装置としての第１制御装置以外の移動局装置の呼制御を行う第２制御装置へ移動局装置が無線接続を要求したことを知らせる通知を、前記第２制御装置から受信する第２受信部と、を備え、
前記予測部は、前記第１制御装置に接続される基地局装置が形成するセル内に位置する対象移動局装置が前記第１制御装置へ無線接続を要求した履歴と、前記第２制御装置へ対象移動局装置が無線接続を要求した履歴とに基づいて、前記対象移動局装置が無線接続を要求するか否かを予測することを特徴とする請求項５に記載の制御装置。
【請求項７】
移動局装置の呼制御を行う制御装置及び管理装置を備える通信システムであって、
前記管理装置は、
現在時刻より後の対象時刻に移動局装置が無線接続を要求するか否かを予測する予測部と、
移動局装置の呼制御を行う制御装置へ前記対象時刻に無線接続を要求する予定の移動局装置の数が閾値を超える場合に、第１移動局装置へ前記対象時刻以前の第１時刻に無線接続を要求させ前記第１移動局装置と異なる第２移動局装置へ前記第１時刻と異なる前記対象時刻以前の第２時刻に無線接続を要求させる処理を、前記制御装置に指示する指示部と、
を備えることを特徴とする通信システム。
【請求項８】
現在時刻より後の対象時刻に移動局装置が無線接続を要求するか否かを予測し、
移動局装置の呼制御を行う制御装置へ前記対象時刻に無線接続を要求する予定の移動局装置の数が閾値を超える場合に、第１移動局装置へ前記対象時刻以前の第１時刻に無線接続を要求させ前記第１移動局装置と異なる第２移動局装置へ前記第１時刻と異なる前記対象時刻以前の第２時刻に無線接続を要求させる処理を、前記制御装置に指示する、
ことを特徴とする通信方法。
【発明の詳細な説明】
【技術分野】
【０００１】
本明細書で論じられる実施態様は、管理装置、制御装置、通信システム及び通信方法に関する。
【背景技術】
【０００２】
移動局装置には、現在時刻に応じてネットワークへのアクセスするものがある。例えば、スマートホンで実行されるアプリケーションプログラムには、毎日一定時刻又は周期的にサーバにアクセスする機能を有するものがある。
【０００３】
関連技術として、大量受付処理において、センタが発ＩＤのみを受付け、コールバック方式により要求端末に接続し、後は発信地毎等にグルーピングした要求端末間をＩＤリストにより順次接続するようにすることが知られている（例えば、特許文献１参照）。
【先行技術文献】
【特許文献】
【０００４】
【特許文献１】特開平９−３６９６４号公報
【発明の概要】
【発明が解決しようとする課題】
【０００５】
移動局装置がネットワークにアクセスする場合、固定通信網内のゲートウエイ装置と移動局装置との間のベアラが開放されているアイドル状態からベアラが設定されているアクティブ状態へと移動局装置の状態が遷移する。複数の移動局装置が現在時刻に応じてネットワークに同時にアクセスすることで短期間にアクセスが集中すると、移動局装置の呼制御を行う制御装置の処理が輻輳する恐れがある。
【０００６】
本明細書に開示される装置又は方法は、移動局装置の呼制御処理を行う制御装置の処理の輻輳を低減することを目的とする。
【課題を解決するための手段】
【０００７】
装置の一観点によれば、現在時刻より後の対象時刻に移動局装置が無線接続を要求するか否かを予測する予測部と、移動局装置の呼制御を行う制御装置へ対象時刻に無線接続を要求する予定の移動局装置の数が閾値を超える場合に、第１移動局装置へ対象時刻以前の第１時刻に無線接続を要求させ第１移動局装置と異なる第２移動局装置へ第１時刻と異なる対象時刻以前の第２時刻に無線接続を要求させる処理を、制御装置に指示する指示部を備える管理装置が与えられる。
【０００８】
装置の他の一観点によれば、移動局装置の呼制御を行う制御装置が与えられる。制御装置は、移動局装置からの無線接続の要求の履歴に基づいて、現在時刻より後の対象時刻に移動局装置が制御装置へ無線接続を要求するか否かを予測する情報処理装置へ、移動局装置から無線接続の要求があったことを通知する通知部と、対象時刻に制御装置へ無線接続を要求する予定の移動局装置の数が閾値を超える場合に送信され、移動局装置に無線接続を要求させる処理を制御装置に行わせる指示信号を、情報処理装置から受信する受信部と、指示信号の受信に応答して移動局装置に無線接続を要求させる指示部を備える。
【０００９】
装置の他の一観点によれば、移動局装置の呼制御を行う制御装置が与えられる。制御装置は、現在時刻より後の対象時刻に移動局装置が無線接続を要求するか否かを予測する予測部と、制御装置へ対象時刻に無線接続を要求する予定の移動局装置の数が閾値を超える場合に、第１移動局装置へ対象時刻以前の第１時刻に無線接続を要求させ第１移動局装置と異なる第２移動局装置へ第１時刻と異なる対象時刻以前の第２時刻に無線接続を要求させる指示部を備える。
【発明の効果】
【００１０】
本明細書に開示される装置又は方法によれば、移動局装置の呼制御処理を行う制御装置の処理の輻輳が低減する。
【図面の簡単な説明】
【００１１】
【図１】通信システムの構成例の説明図である。
【図２】制御装置の機能構成の第１例の説明図である。
【図３】管理装置の機能構成の一例の説明図である。
【図４】接続イベントテーブルの一例の説明図である。
【図５】対応制御装置テーブルの一例の説明図である。
【図６】（Ａ）及び（Ｂ）は予測テーブルの一例の説明図である。
【図７】管理装置の動作の一例の説明図である。
【図８】接続イベント通知動作の一例の説明図である。
【図９】接続指示動作の一例の説明図（その１）である。
【図１０】接続指示動作の一例の説明図（その２）である。
【図１１】制御装置の機能構成の第２例の説明図である。
【図１２】制御装置の一例のハードウエア構成図である。
【図１３】管理装置の一例のハードウエア構成図である。
【発明を実施するための形態】
【００１２】
＜１．第１実施例＞
以下、添付する図面を参照して好ましい実施例について説明する。図１は、通信システムの構成例の説明図である。通信システム１は、基地局装置２ａ及び２ｂと、移動局装置３ａ、３ｂ、…３ｍと、第１ネットワーク４と、第１ゲートウエイ装置５ａ及び５ｂと、第２ゲートウエイ装置６と、制御装置７ａ及び７ｂと、管理装置８を備える。
【００１３】
以下の説明及び添付図面において、ゲートウエイ装置を「ＧＷ」と表記することがある。基地局装置及び移動局装置をそれぞれ「基地局」及び「移動局」と表記することがある。基地局２ａ及び２ｂを総称して「基地局２」と表記することがある。移動局装置３ａ、３ｂ、…３ｍを総称して「移動局３」と表記することがある。第１ＧＷ５ａ及び５ｂを「第１ＧＷ５」と表記することがある。制御装置７ａ及び７ｂを「制御装置７」と表記することがある。
【００１４】
基地局２は、移動局３との間で無線通信が可能な無線通信圏を形成し、無線通信圏内の移動局３との間で所定の無線通信規格に従って通信する。基地局２は、無線アクセスネットワークの構成要素である。無線通信規格は、例えば３ＧＰＰが規格する３Ｇ（3rd Generation）無線通信規格やＬＴＥ等であってよい。但し、本例示は、本明細書に記載される通信システム１を３Ｇ無線通信規格やＬＴＥに準拠する通信システムに限定することを意図するものではない。本明細書記載の通信システム１は、移動局の呼制御を行う制御装置を備える移動体通信システムに広く適用可能である。
【００１５】
第１ＧＷ５は、無線アクセスネットワークを第１ネットワーク４に接続し、第２ＧＷ６は、第１ネットワーク４と第２ネットワーク９とを接続する。第１ネットワーク４は、例えば、移動通信サービスを提供する通信事業者のプライベートネットワークであってよい。第１ネットワーク４は、例えばＬＴＥで標準化されているＥＰＣ（Evolved Packet Core）であってよい。例えば、第１ＧＷ５及び第２ＧＷ６は、それぞれＥＰＣに設けられるＳＧＷ（Serving GateWay）及びＰＧＷ（Packet data network GateWay）であってよい。第２ネットワーク９は、例えばインターネットや企業のイントラネット等のＩＰ（Internet Protocol）サービスネットワークであってよい。
【００１６】
移動局３と基地局２との間には、ユーザパケットを転送するための無線ベアラが設定される。基地局２と第１ＧＷ５との間、第１ＧＷ５と第２ＧＷ６との間にも、それぞれユーザパケットを転送するための第１ベアラ及び第２ベアラが設定される。
【００１７】
無線ベアラ及び第１ベアラが設定されていない状態において、移動局３は、第１ネットワーク４に接続する際に、基地局２を経由して制御装置７に接続要求信号を送信する。接続要求信号を受信した制御装置７は移動局３の呼制御を行う。例えば、制御装置７は、ＥＰＣに設けられるＭＭＥ（Mobility Management Entity）であってよい。接続要求信号は、例えばＬＴＥで規定されているサービス要求メッセージ（Service Request）であってよい。
【００１８】
接続要求信号を受信した制御装置７は、基地局２と移動局３との間の無線ベアラの設定を指示する無線ベアラ設定指示信号を基地局２に送信する。無線ベアラ設定指示信号によって基地局２と移動局３とが無線ベアラを確立する。無線ベアラ設定指示信号は、例えばＬＴＥで規定されている「S1-AP: Initial Context Setup Request」であってよい。
【００１９】
また、制御装置７は、基地局２と第１ＧＷ５との間の第１ベアラを設定又は更新するためのベアラ制御信号を、第１ＧＷ５との間で送受信する。ベアラ制御信号は、例えばＬＴＥで規定されている「Modify Bearer Request」や「Modify Bearer Response」であってよい。
【００２０】
接続要求信号を受信した制御装置７は、移動局３から接続要求信号を受信したことを知らせる接続イベント通知を管理装置８へ送信する。
【００２１】
管理装置８は、接続イベント通知に基づいて、移動局３の接続要求信号の送信時刻の履歴情報を移動局３毎に記憶する。管理装置８は、現時刻より後の対象時刻における移動局３による接続要求信号の送信有無を履歴情報に基づいて予測する。管理装置８は、接続要求信号の送信有無の予測結果に基づいて、対象時刻において接続要求信号が制御装置７へ集中して送信されるか否かを制御装置７毎に予測する。
【００２２】
接続要求信号が制御装置７へ集中して送信されることが予測される場合、管理装置８は、制御装置７に接続された基地局２がカバーするセル内に位置する移動局３へ接続要求信号を送信させる制御を、対象時刻以前に制御装置７に実行させる。接続要求信号を送信させる移動局３は、制御装置７に接続要求信号を送信することが予測された移動局３のみでもよい。このとき、管理装置８は、複数の異なる移動局３にそれぞれ接続要求信号を送信させる各々の制御を制御装置７に異なる時刻で実行させる。
【００２３】
接続要求信号を送信させる制御は、例えば、移動局３が接続要求信号を送信して接続処理を開始することを要求する開始信号を制御装置７から移動局３へ送信する処理であってよい。開始信号は、例えばページングメッセージであってよい。
【００２４】
管理装置８は、制御装置７に開始信号を送信させる接続指示信号を、制御装置７に送信してよい。管理装置８は、複数の異なる移動局３にそれぞれ開始信号を送信させる個々の接続指示信号を、対象時刻以前の異なる時刻に送信してよい。これに加えて又はこれに代えて、制御装置７は、１つの接続指示信号の受信に対応して、対象時刻以前の異なる時刻に複数の異なる移動局３にそれぞれ開始信号を送信してもよい。
【００２５】
複数の異なる移動局３は、対象時刻以前の異なる時刻に接続指示信号をそれぞれ送信することにより第１ネットワーク４に接続される。このため、接続指示信号の送信タイミングは、対象時刻以前の複数時刻に分散される。この結果、制御装置７に生じる呼制御処理の輻輳が低減される。
【００２６】
図２は、制御装置７ａの機能構成の第１例の説明図である。制御装置７ｂの機能構成も同様であってよい。制御装置７ａは、接続要求受信部２０と、ベアラ制御部２１と、接続イベント通知部２２と、無線ベアラ設定指示部２３と、接続指示受信部２４と、開始信号送信部２５を備える。
【００２７】
接続要求受信部２０は、移動局３から接続要求信号を受信する。接続要求受信部２０が接続要求信号を受信すると、ベアラ制御部２１は、ベアラ制御信号を第１ＧＷ５との間で送受信し、移動局３のための第１ベアラを設定又は更新する。接続要求受信部２０が接続要求信号を受信すると、無線ベアラ設定指示部２３は、基地局２と移動局３との間の無線ベアラの設定を指示する無線ベアラ設定指示信号を基地局２に送信する。
【００２８】
接続要求受信部２０が接続要求信号を受信すると、接続イベント通知部２２は、移動局３から接続要求信号を受信したことを知らせる接続イベント通知を管理装置８へ送信する。接続イベント通知は、制御装置７の識別情報と、接続要求信号を送信した移動局３の識別情報を含んでいてよい。接続イベント通知は、接続要求信号の受信時刻を含んでいてもよく、含んでいなくてもよい。
【００２９】
接続指示受信部２４は、管理装置８から接続指示信号を受信する。接続指示信号は、開始信号の送信先の移動局３の指定情報を含んでいてよい。開始信号送信部２５は、接続指示信号で指定された移動局３へ開始信号を送信する。
【００３０】
接続指示信号は、開始信号の送信先の複数の異なる移動局３の指定情報を含んでいてもよい。接続指示信号が複数の移動局３の指定情報を含む場合、開始信号送信部２５は、指定された複数の異なる移動局３へ、それぞれ異なる時刻で開始信号を送信してもよい。すなわち、開始信号送信部２５は、複数の異なる移動局３へ開始信号を送信する時刻に時間差を設ける。
【００３１】
接続指示信号は、複数の異なる移動局３へそれぞれ開始信号を送信する時刻を決定するための情報を含んでいてよい。例えば、接続指示信号は複数の送信時刻の情報を含んでいてもよい。例えば、接続指示信号は、複数の異なる移動局３へ開始信号を送信する送信時刻が分散される期間の情報を含んでいてよい。例えば、接続指示信号は、開始信号の初回の送信時刻と最後の送信時刻までの期間を指定する情報を含んでいてもよい。
【００３２】
接続指示信号が、開始信号の送信時刻を決定するための情報を含んでいなくてもよい。例えば、開始信号送信部２５は、接続指示信号の受信時から所定第１期間長が経過した時刻から開始する第２期間長の期間内に、複数の異なる移動局３のそれぞれに当時間間隔で開始信号を送信してもよい。
【００３３】
図３は、管理装置８の機能構成の一例の説明図である。管理装置８は、接続イベント受信部３０と、記憶部３１と、移動局選択部３２と、予測部３３と、指示信号送信部３４を備える。
【００３４】
接続イベント受信部３０は、制御装置７から接続イベント通知を受信する。接続イベント受信部３０は、移動局３の接続要求信号の送信時刻の履歴情報を移動局３毎に接続イベントテーブル４０に格納する。接続イベントテーブル４０は、記憶部３１に格納される。
【００３５】
図４は、接続イベントテーブル４０の一例の説明図である。接続イベントテーブル４０は、情報要素「時刻」、「移動局」及び「制御装置」を含む。情報要素「時刻」は移動局３の接続要求信号の送信時刻を示す。情報要素「移動局」は接続要求信号を送信した移動局３の識別子を示す。情報要素「制御装置」は接続要求信号の受信に応じて接続イベント通知を管理装置８へ送信した制御装置７の識別子を示す。
【００３６】
例えば、図４の接続イベントテーブル４０の第１行目のエントリは、識別子「ＵＥ１」の移動局３から識別子「ＭＭＥ１」の制御装置７への接続要求信号の送信時刻が「１３時３０分１２秒」であることを示す。
【００３７】
接続イベント通知が制御装置７における接続要求信号の受信時刻を含む場合、接続イベント受信部３０は、接続イベント通知から取得した接続要求信号の受信時刻を、接続要求信号の送信時刻の送信時刻として接続イベントテーブル４０に格納してよい。接続イベント通知が接続要求信号の受信時刻を含まない場合、接続イベント受信部３０は、管理装置８における接続イベント通知の受信時刻を、接続要求信号の送信時刻の送信時刻として接続イベントテーブル４０に格納してもよい。
【００３８】
図３を参照する。移動局選択部３２は、接続イベントテーブル４０を参照して、制御装置７毎に、制御装置７にそれぞれ接続される基地局２がカバーするセル内に位置する移動局３を選択する。以下の説明及び図面において、移動局３がそれぞれ位置するセルをカバーする基地局２に接続される制御装置をこの移動局３の「対応制御装置」と表記する。また、制御装置７にそれぞれ接続される基地局２がカバーするセル内に位置する移動局３を、制御装置７の「対応移動局」と表記する。
【００３９】
例えば、移動局選択部３２は、接続イベントテーブル４０に格納されるエントリのうち最新の時刻を示す情報要素「時刻」を持つエントリを移動局３毎に選択する。移動局選択部３２は、選択されたエントリの情報要素「制御装置」に基づいて、移動局３の対応制御装置を特定する。
【００４０】
移動局選択部３２は、移動局３の各々の対応制御装置を対応制御装置テーブル４１に格納する。対応制御装置テーブル４１は、記憶部３１に格納される。
【００４１】
図５は、対応制御装置テーブル４１の一例の説明図である。対応制御装置テーブル４１は、情報要素「移動局」及び「対応制御装置」を含む。情報要素「移動局」は、移動局３の識別子を示す。情報要素「対応制御装置」は、対応制御装置の識別子を示す。例えば図５の対応制御装置テーブル４１の第１行目のエントリは、識別子「ＵＥ１」の移動局３の対応制御装置が識別子「ＭＭＥ２」の制御装置７であることを示す。第２行目のエントリは、識別子「ＵＥ２」の移動局３の対応制御装置が識別子「ＭＭＥ１」の制御装置７であることを示す。
【００４２】
図３を参照する。予測部３３は、接続イベントテーブル４０に格納された履歴情報に基づき、移動局３毎に、移動局３が現時刻より後の対象時刻に接続要求信号を送信するか否かを予測する。予測部３３は、例えば、接続要求信号の送信時期の移動局３毎の周期性に基づいて、対象時刻に接続要求信号を送信するか否かを予測してよい。
【００４３】
また、例えば予測部３３は、所定周期で訪れる複数時刻に移動局３が接続要求信号を送信するか否かに応じて、周期的に接続要求信号を送信する移動局３の送信時刻を予測してよい。例えば、所定周期が１日である場合に、予測部３３は毎日同じ時刻に移動局３が接続要求信号を送信することを予測してよい。また、例えば所定周期が１時間である場合に、予測部３３は移動局３が毎時０分ちょうどに接続要求信号を送信することを予測してよい。
【００４４】
予測部３３は、対応制御装置テーブル４１に基づいて、制御装置７毎に制御装置７の対応移動局を特定する。予測部３３は、制御装置７の対応移動局のうち対象時刻において接続要求信号を送信する予定の移動局数Ｎｕを算出する。予測部３３は、各時刻における移動局数Ｎｕを予測テーブル４２に格納する。予測テーブル４２は、記憶部３１に格納される。
【００４５】
図６の（Ａ）は、識別子「ＭＭＥ１」の制御装置７へ接続要求信号を送信する予定の移動局数Ｎｕを格納する予測テーブル４２の一例の説明図である。図６の（Ｂ）は、識別子「ＭＭＥ２」の制御装置７へ接続要求信号を送信する予定の移動局数Ｎｕを格納する予測テーブル４２の一例の説明図である。予測テーブル４２は、情報要素「時刻」及び「移動局数Ｎｕ」を含む。情報要素「時刻」は対象時刻を含む所定長の期間を示す。情報要素「移動局数Ｎｕ」は、情報要素「時刻」で指定される期間に制御装置７へ接続要求信号を送信する予定の移動局数を示す。
【００４６】
例えば、図６の（Ａ）の予測テーブル４２の第１行目のエントリは、１３時３０分００秒〜１３時３０分５９秒の期間において、識別子「ＭＭＥ１」の制御装置７へ接続要求信号を送信する予定の移動局数Ｎｕが５９個であることを示す。図６の（Ｂ）の予測テーブル４２の第２行目のエントリは、１３時３１分００秒〜１３時３１分５９秒の期間において、識別子「ＭＭＥ２」の制御装置７へ接続要求信号を送信する予定の移動局数Ｎｕが１３７６個であることを示す。
【００４７】
図３を参照する。予測部３３は、移動局３の個数Ｎｕに基づいて、接続要求信号が制御装置７へ集中して送信されるか否かを制御装置７毎に予測する。例えば、予測部３３は移動局数Ｎｕが閾値Ｔｈより大きい場合に、接続要求信号が制御装置７へ集中して送信されると判断する。
【００４８】
接続要求信号が制御装置７へ集中して送信されることをが期待される場合に、指示信号送信部３４は、制御装置７に開始信号を対応移動局へ送信させる接続指示信号を制御装置７に送信してよい。指示信号送信部３４は、制御装置７に接続要求信号を送信することが予測部３３によって予測された移動局３のみへ開始信号を送信させる接続指示信号を、制御装置７に送信してもよい。
【００４９】
指示信号送信部３４は、複数の異なる対応移動局にそれぞれ開始信号を送信させる個々の接続指示信号を、対象時刻以前の異なる時刻に送信してよい。すなわち、指示信号送信部３４は、対象時刻以前に接続指示信号を送信し、かつ複数の異なる対応移動局へそれぞれ開始信号を送信させる複数の接続指示信号の送信時刻間に時間差を設ける。接続指示信号は、開始信号の送信先の移動局の識別情報を含んでいてよい。
【００５０】
指示信号送信部３４は、複数の異なる対応移動局へ開始信号を送信する指示を１つの接続指示信号に含めてもよい。指示信号送信部３４は、対象時刻より前の期間内の複数の異なる時刻に異なる対応移動局へ開始信号を送信させる接続指示信号を制御装置７に送信してよい。接続指示信号は、開始信号の送信先の複数の異なる対応移動局の指定情報を含んでいてもよい。
【００５１】
図７は、管理装置８の動作の一例の説明図である。管理装置８の接続指示信号によりＮｍ個の制御装置７が制御される場合を想定する。
【００５２】
オペレーションＡＡにおいて制御装置７を指定する変数ｉの値が「１」に設定される。オペレーションＡＢにおいて移動局選択部３２は、第ｉ番目の制御装置７に接続される基地局２がカバーするセル内に位置する移動局３を選択する。
【００５３】
オペレーションＡＣにおいて予測部３３は、現時刻より所定時間経過後の対象時刻に接続要求信号を送信する移動局数Ｎｕを予測する。オペレーションＡＤにおいて予測部３３は、移動局数Ｎｕが閾値Ｔｈを超えるか否かを判断する。移動局数Ｎｕが閾値Ｔｈを超える場合（オペレーションＡＤ：Ｙ）に動作はオペレーションＡＥへ進む。移動局数Ｎｕが閾値Ｔｈを超えない場合（オペレーションＡＮ：Ｙ）に動作はオペレーションＡＦへ進む。
【００５４】
オペレーションＡＥにおいて指示信号送信部３４は、接続要求信号が集中して送信される予定の第ｉ番目の制御装置７に、接続指示信号を送信する。オペレーションＡＦにおいて変数ｉの値が１つ増加する。オペレーションＡＧにおいて変数ｉが制御装置７の数Ｎｍを超えるか否かが判定される。変数ｉが制御装置７の数Ｎｍを超えない場合（オペレーションＡＧ：Ｎ）に動作はオペレーションＡＢに戻る。変数ｉが制御装置７の数Ｎｍを超える場合（オペレーションＡＧ：Ａ）に動作は終了する。
【００５５】
図８は、接続イベント通知動作の一例の説明図である。移動局３ａ、３ｂ、…３ｍが制御装置７ａの対応移動局である場合を想定する。
【００５６】
オペレーションＢＡにおいて移動局３ａから制御装置７ａに基地局２ａを経由して接続要求信号が送信されると、制御装置７ａは接続要求信号を受信する。オペレーションＢＡは接続要求受信部２０の動作に相当する。接続要求信号の受信に応じて、制御装置７ａはオペレーションＢＢにおいて接続イベント通知を管理装置８へ送信する。オペレーションＢＡは接続イベント通知部２２の動作に相当する。
【００５７】
オペレーションＢＣにおいて移動局３ｂから制御装置７ａに基地局２ａを経由して接続要求信号が送信されると、制御装置７ａは接続要求信号を受信する。オペレーションＢＣは接続要求受信部２０の動作に相当する。接続要求信号の受信に応じて、制御装置７ａはオペレーションＢＤにおいて接続イベント通知を管理装置８へ送信する。オペレーションＢＤは接続イベント通知部２２の動作に相当する。
【００５８】
オペレーションＢＥにおいて移動局３ｍから制御装置７ａに基地局２ａを経由して接続要求信号が送信されると、制御装置７ａは接続要求信号を受信する。オペレーションＢＥは接続要求受信部２０の動作に相当する。接続要求信号の受信に応じて、制御装置７ａはオペレーションＢＦにおいて接続イベント通知を管理装置８へ送信する。オペレーションＢＦは接続イベント通知部２２の動作に相当する。
【００５９】
オペレーションＢＧ及びＢＨの動作は、オペレーションＢＣ及びＢＤの動作と同様である。オペレーションＢＩ及びＢＪの動作は、オペレーションＢＥ及びＢＦの動作と同様である。オペレーションＢＫ及びＢＬの動作は、オペレーションＢＡ及びＢＢの動作と同様である。上述の接続イベント通知の通知により、移動局３の接続要求信号の送信時刻の履歴情報が接続イベントテーブル４０に、移動局３毎に格納される。
【００６０】
図９及び図１０は、接続指示動作の一例の説明図である。オペレーションＣＡにおいて管理装置８は、現時刻よりの後の対象時刻に接続要求信号を送信する移動局数Ｎｕを予測する。オペレーションＣＢにおいて管理装置８は、接続要求信号が制御装置７ａへ集中して送信されるか否かを制御装置７毎に予測する。オペレーションＣＡ及びＣＢは予測部３３の動作に相当する。
【００６１】
接続要求信号が制御装置７ａへ集中して送信されることが期待される場合に、管理装置８は、接続指示信号を制御装置７ａに送信する。オペレーションＣＣにおいて管理装置８は、移動局３ａへ開始信号を送信させる接続指示信号を制御装置７ａに送信する。オペレーションＣＣは指示信号送信部３４の動作に相当する。
【００６２】
オペレーションＣＤにおいて制御装置７ａは、基地局２ａを経由して開始信号を移動局３ａへ送信する。オペレーションＣＤは開始信号送信部２５の動作に相当する。基地局２ａを介して移動局３ａから制御装置７ａに接続要求信号が送信されると、オペレーションＣＥにおいて制御装置７ａは接続要求信号を受信する。オペレーションＣＥは接続要求受信部２０の動作に相当する。
【００６３】
オペレーションＣＦにおいて制御装置７ａは、移動局３ａと基地局２ａとの間の無線ベアラの設定を指示する無線ベアラ設定指示信号を基地局２ａへ送信する。オペレーションＣＦは無線ベアラ設定指示部２３の動作に相当する。オペレーションＣＧにおいて移動局３ａ及び基地局２ａは無線ベアラを設定する。オペレーションＣＨにおいて制御装置７ａはベアラ制御信号を第１ＧＷ５との間で送受信し、移動局３ａのユーザパケットを転送するための第１ベアラを確立する。オペレーションＣＨはベアラ制御部２１の動作に相当する。
【００６４】
オペレーションＣＩにおいて管理装置８は、移動局３ｂへ開始信号を送信させる接続指示信号を制御装置７ａに送信する。オペレーションＣＩは指示信号送信部３４の動作に相当する。
【００６５】
オペレーションＣＪにおいて制御装置７ａは、基地局２ａを経由して開始信号を移動局３ｂへ送信する。オペレーションＣＤは開始信号送信部２５の動作に相当する。基地局２ａを介して移動局３ｂから制御装置７ａに接続要求信号が送信されると、オペレーションＣＫにおいて制御装置７ａは接続要求信号を受信する。オペレーションＣＫは接続要求受信部２０の動作に相当する。
【００６６】
オペレーションＣＬにおいて制御装置７ａは、移動局３ｂと基地局２ａとの間の無線ベアラの設定を指示する無線ベアラ設定指示信号を基地局２ａへ送信する。オペレーションＣＬは無線ベアラ設定指示部２３の動作に相当する。オペレーションＣＭにおいて移動局３ｂ及び基地局２ａは無線ベアラを設定する。オペレーションＣＮにおいて制御装置７ａはベアラ制御信号を第１ＧＷ５との間で送受信し、移動局３ｂのユーザパケットを転送するための第１ベアラを確立する。オペレーションＣＮはベアラ制御部２１の動作に相当する。
【００６７】
オペレーションＣＯにおいて管理装置８は、移動局３ｍへ開始信号を送信させる接続指示信号を制御装置７ａに送信する。オペレーションＣＯは指示信号送信部３４の動作に相当する。
【００６８】
オペレーションＣＰにおいて制御装置７ａは、基地局２ａを経由して開始信号を移動局３ｍへ送信する。オペレーションＣＰは開始信号送信部２５の動作に相当する。基地局２ａを介して移動局３ｍから制御装置７ａに接続要求信号が送信されると、オペレーションＣＱにおいて制御装置７ａは接続要求信号を受信する。オペレーションＣＱは接続要求受信部２０の動作に相当する。
【００６９】
オペレーションＣＲにおいて制御装置７ａは、移動局３ｍと基地局２ａとの間の無線ベアラの設定を指示する無線ベアラ設定指示信号を基地局２ａへ送信する。オペレーションＣＲは無線ベアラ設定指示部２３の動作に相当する。オペレーションＣＳにおいて移動局３ｍ及び基地局２ａは無線ベアラを設定する。オペレーションＣＴにおいて制御装置７ａはベアラ制御信号を第１ＧＷ５との間で送受信し、移動局３ｍのユーザパケットを転送するための第１ベアラを確立する。オペレーションＣＴはベアラ制御部２１の動作に相当する。
【００７０】
制御装置７ａによる無線ベアラの設定指示動作及び第１ベアラの設定指示動作が一時期に集中しないように、管理装置８は、オペレーションＣＣ、ＣＩ及びＣＯにおける接続指示信号の送信時期を分散してよい。すなわち管理装置８は、オペレーションＣＣ、ＣＩ及びＣＯにおける接続指示信号の送信時期に時間差を設けてよい。
【００７１】
矢示７０の対象時刻が到来したとき、移動局３ａ、３ｂ、…３ｍはユーザパケットの送信動作を開始する。すでに移動局３ａ、３ｂ、…３ｍと第１ＧＷ５との間にベアラが確立しているため、この時点で移動局３ａ、３ｂ、…３ｍは接続要求信号を制御装置７ａに送信しない。
【００７２】
オペレーションＣＵにおいて移動局３ａは、移動局３ａと基地局２ａとの間の無線ベアラ及び移動局３ａのための第１ベアラを経由してユーザパケットを送信する。オペレーションＣＶにおいて移動局３ｂは、移動局３ｂと基地局２ａとの間の無線ベアラ及び移動局３ｂのための第１ベアラを経由してユーザパケットを送信する。オペレーションＣＷにおいて移動局３ｂは、移動局３ｍと基地局２ａとの間の無線ベアラ及び移動局３ｍのための第１ベアラを経由してユーザパケットを送信する。
【００７３】
本実施例によれば、対象時刻に集中して送信される予定の接続要求信号の送信時期を、対象時刻以前の任意の期間長の期間に分散することができる。この結果、制御装置７に生じる呼制御処理の輻輳が低減される。
【００７４】
例えば、無通信状態が５分より長く継続すると移動局３が無線ベアラを開放する場合に、管理装置８は、対象時刻以前の５分間に接続要求信号の送信時期を分散することができる。例えば、対象時刻において１秒間に集中して発生する接続要求信号を５分間に分散して発生させると、単位時間当たりに制御装置７に生じる呼制御の負荷が１／３００に低減する。
【００７５】
＜２．第２実施例＞
第２実施例の制御装置７ａは、接続イベントテーブル４０を備え、接続要求信号が制御装置７ａへ集中して送信されることを予測する。他の制御装置７ｂに送信された接続要求信号の送信時刻の履歴情報を接続イベントテーブル４０に格納するため、制御装置７ｂは、接続要求信号を受信した場合に接続イベント通知を制御装置７ａに送信する。同様に、制御装置７ａは、接続要求信号を受信した場合に接続イベント通知を制御装置７ｂに送信する。第２実施例では管理装置８を省略してもよい。
【００７６】
図１１は、制御装置７ａの機能構成の第２例の説明図である。制御装置７ｂの機能構成も同様であってよい。図２に示す構成要素と同様の構成要素には図２で使用した参照符号と同じ参照符号を付する。
【００７７】
制御装置７ａは、接続イベント受信部５０と、記憶部５１と、予測部５２を備える。接続要求受信部２０が接続要求信号を受信すると、接続イベント通知部２２は、他の制御装置７ｂに接続イベント通知を通知する。接続イベント受信部５０は、他の制御装置７ｂから送信される接続イベント通知を受信する。制御装置７ａ及び７ｂは、例えば第１ネットワーク４を経由して互いに接続イベント通知を送信してよい。
【００７８】
制御装置７ａは、移動局３の接続要求信号の送信時刻の履歴情報を移動局３毎に接続イベントテーブル４０に格納する。接続イベントテーブル４０は、記憶部５１に格納される。
【００７９】
予測部５２は、接続イベントテーブル４０に格納された履歴情報に基づき、制御装置７ａの対応移動局のそれぞれについて、対応移動局が現時刻より後の対象時刻に接続要求信号を送信するか否かを予測する。予測部３３は、対応移動局のうち対象時刻において接続要求信号を送信する予定の移動局数Ｎｕを算出する。
【００８０】
予測部５２は、各時刻における移動局数Ｎｕを予測テーブル４２に格納する。予測テーブル４２は、記憶部５１に格納される。予測部５２は、移動局３の個数Ｎｕに基づいて、接続要求信号が制御装置７ａへ集中して送信されるか否かを予測する。
【００８１】
接続要求信号が制御装置７ａへ集中して送信されることをが期待される場合に、開始信号送信部２５は、開始信号を対応移動局に送信する。開始信号送信部２５は、対象時刻に接続要求信号を送信する予定の移動局３にのみ開始信号を送信してもよい。開始信号送信部２５は、複数の異なる対応移動局に対する開始信号を、対象時刻以前の異なる時刻に送信してよい。
【００８２】
第２実施例によっても、対象時刻に集中して送信される予定の接続要求信号の送信時期を、対象時刻以前の任意の期間長の期間に分散することができる。この結果、制御装置７に生じる呼制御処理の輻輳が低減される。
【００８３】
図２、図３及び図１１の機能構成図は、本明細書において説明される制御装置７ａ及び管理装置８の機能に関係する構成を中心に示している。制御装置７ａ及び管理装置８は、図示の構成要素以外の他の構成要素を含んでいてよい。図７〜１０を参照して説明する一連の動作は複数の手順を含む方法と解釈してもよい。この場合に「オペレーション」を「ステップ」と読み替えてもよい。
【００８４】
＜３．ハードウエア構成＞
図１２は、制御装置７ａの一例のハードウエア構成図である。制御装置７ａは、プロセッサ１００と、メモリ１０１と、記憶装置１０２と、ネットワークインタフェース回路１０３を備える情報処理装置であってよい。なお、添付図面及び以下の説明においてネットワークインタフェース回路を「ＮＩＦ回路」と表記することがある。
【００８５】
プロセッサ１００は、記憶装置１０２に格納されるコンピュータプログラムを実行することで、制御装置７ａの上記処理を実行する。記憶装置１０２には、プロセッサ１００により実行されるコンピュータプログラム及びその実行に使用されるデータが記憶される。記憶装置１０２は、不揮発性メモリや、読み出し専用メモリ（ROM: Read Only Memory）やハードディスクなどを記憶素子として含んでいてもよい。
【００８６】
メモリ１０１には、プロセッサ１００が現在実行しているプログラムやこのプログラムの実行時に一時的に使用されるデータが記憶される。メモリ１０１は、ランダムアクセスメモリを含んでいてよい。ＮＩＦ回路１０３は、通信の固定通信回線を経由して管理装置８や第１ネットワーク４と通信するための通信インタフェース回路である。
【００８７】
接続要求受信部２０、ベアラ制御部２１、接続イベント通知部２２、無線ベアラ設定指示部２３、接続指示受信部２４、開始信号送信部２５及び接続イベント受信部５０の上記動作は、プロセッサ１００及びＮＩＦ回路１０３が協働することによって実行される。予測部５２の上記動作はプロセッサ１００によって実行される。接続イベントテーブル４０及び予測テーブル４２は記憶装置１０２に格納される。
【００８８】
図１３は、管理装置８の一例のハードウエア構成図である。管理装置８は、プロセッサ１１０と、メモリ１１１と、記憶装置１１２と、ＮＩＦ回路１１３を備える情報処理装置であってよい。
【００８９】
プロセッサ１１０は、記憶装置１１２に格納されるコンピュータプログラムを実行することで、管理装置８の上記処理を実行する。記憶装置１１２には、プロセッサ１１０により実行されるコンピュータプログラム及びその実行に使用されるデータが記憶される。記憶装置１１２は、不揮発性メモリや、読み出し専用メモリやハードディスクなどを記憶素子として含んでいてもよい。
【００９０】
メモリ１１１には、プロセッサ１１０が現在実行しているプログラムやこのプログラムの実行時に一時的に使用されるデータが記憶される。メモリ１１１は、ランダムアクセスメモリを含んでいてよい。ＮＩＦ回路１１３は、通信の固定通信回線を経由して制御装置７と通信するための通信インタフェース回路である。
【００９１】
接続イベント受信部３０及び指示信号送信部３４の上記動作は、プロセッサ１１０及びＮＩＦ回路１１３が協働することによって実行される。移動局選択部３２と予測部３３の上記動作はプロセッサ１１０によって実行される。接続イベントテーブル４０、対応制御装置テーブル４１及び予測テーブル４２は記憶装置１１２に格納される。
【００９２】
図１２及び図１３に示すハードウエア構成は、制御装置７ａ及び管理装置８を実現するハードウエア構成の例示の１つである。上記の動作を実行するものであれば、他のどのようなハードウエア構成が採用されてもよい。
【００９３】
以上の実施例を含む実施形態に関し、更に以下の付記を開示する。
（付記１）
現在時刻より後の対象時刻に移動局装置（３）が無線接続を要求するか否かを予測する予測部（３３）と、
移動局装置（３）の呼制御を行う制御装置（７ａ）へ前記対象時刻に無線接続を要求する予定の移動局装置（３）の数が閾値を超える場合に、第１移動局装置（３ａ）へ前記対象時刻以前の第１時刻に無線接続を要求させ前記第１移動局装置（３ａ）と異なる第２移動局装置（３ｂ）へ前記第１時刻と異なる前記対象時刻以前の第２時刻に無線接続を要求させる処理を、前記制御装置（７ａ）に指示する指示部（３４）と、
を備えることを特徴とする管理装置（８）。（１、図３）
（付記２）
前記予測部（３３）は、前記制御装置（７ａ）としての第１制御装置（７ａ）に接続される基地局装置が形成するセル内に位置する対象移動局装置（３）が前記第１制御装置（７ａ）へ無線接続を要求した履歴と、前記第１制御装置（７ａ）以外の移動局装置（３）の呼制御を行う第２制御装置（７ｂ）へ対象移動局装置（３）が無線接続を要求した履歴とに基づいて、前記対象移動局装置（３）が無線接続を要求するか否かを予測することを特徴とする付記１に記載の管理装置。（２）
（付記３）
前記指示部（３４）は、前記制御装置（７ａ）へ無線接続を要求する予定の移動局装置（３）のみに無線接続を要求させる処理を、前記制御装置（７ａ）に指示することを特徴とする付記１又は２に記載の管理装置。（３）
（付記４）
前記指示部（３４）は、第１移動局装置（３ａ）に無線接続を要求させることを指示する指示信号を前記第１時刻以前の第３時刻に前記制御装置（７ａ）に送信し、前記第２移動局装置（３ｂ）に無線接続を要求させることを指示する指示信号を前記第２時刻以前の第４時刻に前記制御装置（７ａ）に送信することを特徴とする付記１〜３のいずれか一項に記載の管理装置。
（付記５）
移動局装置（３）の呼制御を行う制御装置（７ａ）であって、
移動局装置（３）からの無線接続の要求の履歴に基づいて、現在時刻より後の対象時刻に移動局装置（３）が前記制御装置（７ａ）へ無線接続を要求するか否かを予測する情報処理装置（８）へ、移動局装置（３）から無線接続の要求があったことを通知する通知部（２２）と、
前記対象時刻に前記制御装置（７ａ）へ無線接続を要求する予定の移動局装置（３）の数が閾値を超える場合に送信され、移動局装置（３）に無線接続を要求させる処理を前記制御装置（７ａ）に行わせる指示信号を、前記情報処理装置（８）から受信する受信部（２４）と、
前記指示信号の受信に応答して移動局装置（３）に無線接続を要求させる指示部（２５）と、
を備えることを特徴とする制御装置。（４、図２）
（付記６）
移動局装置（３）の呼制御を行う制御装置（７ａ）であって、
現在時刻より後の対象時刻に移動局装置（３）が無線接続を要求するか否かを予測する予測部（５２）と、
前記制御装置（７ａ）へ前記対象時刻に無線接続を要求する予定の移動局装置（３）の数が閾値を超える場合に、第１移動局装置（３ａ）へ前記対象時刻以前の第１時刻に無線接続を要求させ前記第１移動局装置（３ａ）と異なる第２移動局装置（３ｂ）へ前記第１時刻と異なる前記対象時刻以前の第２時刻に無線接続を要求させる指示部（２５）と、
を備えることを特徴とする制御装置。（５、図１１）
（付記７）
移動局装置（３）から無線接続の要求を受信する第１受信部（２０）と、
前記制御装置（７ａ）としての第１制御装置（７ａ）以外の移動局装置（３）の呼制御を行う第２制御装置（７ｂ）へ移動局装置（３）が無線接続を要求したことを知らせる通知を、前記第２制御装置（７ｂ）から受信する第２受信部（５０）と、を備え、
前記予測部（５２）は、前記第１制御装置（７ａ）に接続される基地局装置が形成するセル内に位置する対象移動局装置（３）が前記第１制御装置（７ａ）へ無線接続を要求した履歴と、前記第２制御装置（７ｂ）へ対象移動局装置（３）が無線接続を要求した履歴とに基づいて、前記対象移動局装置（３）が無線接続を要求するか否かを予測することを特徴とする付記６に記載の制御装置。（６）
（付記８）
移動局装置（３）の呼制御を行う制御装置（７ａ）及び管理装置（８）を備える通信システム（１）であって、
前記管理装置（８）は、
現在時刻より後の対象時刻に移動局装置（３）が無線接続を要求するか否かを予測する予測部（３３）と、
移動局装置（３）の呼制御を行う制御装置（７ａ）へ前記対象時刻に無線接続を要求する予定の移動局装置（３）の数が閾値を超える場合に、第１移動局装置（３ａ）へ前記対象時刻以前の第１時刻に無線接続を要求させ前記第１移動局装置（３ａ）と異なる第２移動局装置（３ｂ）へ前記第１時刻と異なる前記対象時刻以前の第２時刻に無線接続を要求させる処理を、前記制御装置（７ａ）に指示する指示部（３４）と、
を備えることを特徴とする通信システム（７、図１）。
（付記９）
現在時刻より後の対象時刻に移動局装置（３）が無線接続を要求するか否かを予測し、
移動局装置（３）の呼制御を行う制御装置（７ａ）へ前記対象時刻に無線接続を要求する予定の移動局装置（３）の数が閾値を超える場合に、第１移動局装置（３ａ）へ前記対象時刻以前の第１時刻に無線接続を要求させ前記第１移動局装置（３ａ）と異なる第２移動局装置（３ｂ）へ前記第１時刻と異なる前記対象時刻以前の第２時刻に無線接続を要求させる処理を、前記制御装置（７ａ）に指示する、
ことを特徴とする通信方法。（８）
【符号の説明】
【００９４】
１    通信システム
２、２ａ、２ｂ    基地局
３、３ａ、３ｂ、…３ｍ    移動局
４    第１ネットワーク
５    第１ＧＷ
７、７ａ、７ｂ    制御装置
８    管理装置
２５    開始信号送信部
３０、５０    接続イベント受信部
３２    移動局選択部
３３、５２    予測部
３４    指示信号送信部
【図１】
2015035770.tif 000003
【図２】
2015035770.tif 000004
【図３】
2015035770.tif 000005
【図４】
2015035770.tif 000006
【図５】
2015035770.tif 000007
【図６】
2015035770.tif 000008
【図７】
2015035770.tif 000009
【図８】
2015035770.tif 000010
【図９】
2015035770.tif 000011
【図１０】
2015035770.tif 000012
【図１１】
2015035770.tif 000013
【図１２】
2015035770.tif 000014
【図１３】
2015035770.tif 000015